(57)【要約】【課題】  ユーザが直感的に使用できるキーロック解除機能を備える電子機器を提供する。【解決手段】  電子機器１を操作するためのリモコン６が備えるキーがロックされている場合、ユーザが当該キーを押すと、不揮発性メモリ７に記憶されたロックされていることを通知するＯＳＤが表示部９に表示され、そのロック通知ＯＳＤが停止される前に再度同じキーを押すことで、同じく不揮発性メモリ７に記憶される解除手順を示すＯＳＤが表示部に表示される。この解除手順ＯＳＤが停止される前に、解除手順ＯＳＤが示す手順でリモコン６の操作を行うことで、当該キーのロックを解除することができる。【選択図】      図１
2007013530.tif 000002
【特許請求の範囲】
【請求項１】
複数の操作用キーを備えた入力手段と、この入力手段からのキー入力の指示を受けて映像／音声信号を再生するための動作を制御する制御手段と、前記映像／音声信号による映像を表示する表示装置若しくは外部の表示装置に前記映像／音声信号を出力する出力部と、任意のキー操作のロック及びロック解除を行うキーロック制御手段を備えた電子機器において、前記電子機器はキーロック解除手順を示すキーロック解除表示を行うＯＳＤ（Ｏｎ  Ｓｃｒｅｅｎ  Ｄｉｓｐｌａｙ）データを記憶する記憶手段を備え、キーロック中のキーを操作した後、所定の時間内に再度、前記ロック中のキーが操作された際、そのキーロック解除手順をＯＳＤ表示するように構成したことを特徴とするキーロック解除機能を備えた電子機器。
【請求項２】
前記記憶手段は、前記キーロック作動時のキーロック表示を行うＯＳＤデータを記憶し、前記電子機器を、キーロック中のキーを操作した際に、当該キーがロック中であることを示すＯＳＤ表示するように構成したことを特徴とする請求項１に記載のキーロック解除機能を備えた電子機器。
【請求項３】
ロック中のキーを操作した際に、５秒以内に再度、前記ロック中のキーが操作された際、そのキーロック解除手順をＯＳＤ表示するように構成したことを特徴とする請求項１又は２に記載のキーロック解除機能を備えた電子機器。
【請求項４】
前記制御手段は、前記キーロック解除手順をＯＳＤ表示した際、所定の時間内にキーロック解除を実行することでキーロックの解除と共にキーロック解除手順のＯＳＤ表示を停止するように制御する一方、所定の時間内にキーロック解除を実行しない場合、キーロック解除手順のＯＳＤ表示を停止するように制御することを特徴とする請求項１から３の何れか１項に記載のキーロック解除機能を備えた電子機器。
【発明の詳細な説明】
【技術分野】
【０００１】
本発明は、操作部や遠隔操作のためのリモコン（以下、総じて入力手段と呼ぶ）に対してキーロックを行い、そのキーロックを所定の手順を踏むことで解除することができる、キーロック解除機能を備えた電子機器に関する。
【背景技術】
【０００２】
従来の映像を表示する表示部を備える電子機器において、その電子機器の動作設定等を簡単に変更させないよう、入力手段にキーロックを施す機能を有しており、このキーロックを所定の手順により解除する方法が開示されている。
【０００３】
例えば、特許文献１では、入力手段におけるキー操作が、操作の禁止されているキーであった場合や、キー操作により選択された情報が存在しなかった場合に、表示部にエラーを示すマークを表示し、当該マークを表示している間にＨＥＬＰキーを押すことにより、エラーの回避／解消のための手順を表示部に表示する方法が開示されている。
【０００４】
【特許文献１】特開２００５−９２９９７号公報
【発明の開示】
【発明が解決しようとする課題】
【０００５】
しかしながら、特許文献１の方法では、入力手段に、新たにエラーの回避／解消の手順を表示部に表示する役割を担う専用キーを設けなければならず、製造コストの増大の一因となってしまう。また、仮に既存のキーにエラーの回避／解消を表示部に表示する役割を割り当てたとしても、ユーザは、エラーの直前に押したボタンと異なるボタンを押さなくてはなくなり、その操作手順を直感的に理解することが難しい。
【０００６】
本発明は上記課題を鑑みてなされたものであり、キーロック中のキーを押した際に、キーロックされている旨を表示部に表示し、続けて同じキーを押すことにより、キーロックの解除手順を表示部に表示する、ユーザが直感的に操作手順を理解することが容易なキーロック解除機能を備えた電子機器を提供することを目的とする。
【課題を解決するための手段】
【０００７】
請求項１に係るキーロック解除機能を備えた電子機器は、複数の操作用キーを備えた入力手段と、この入力手段からのキー入力の指示を受けて映像／音声信号を再生するための動作を制御する制御手段と、前記映像／音声信号による映像を表示する表示装置若しくは外部の表示装置に前記映像／音声信号を出力する出力部と、任意のキー操作のロック及びロック解除を行うキーロック制御手段を備えた電子機器において、前記電子機器は、キーロック解除手順を示すキーロック解除表示を行うＯＳＤ（Ｏｎ  Ｓｃｒｅｅｎ  Ｄｉｓｐｌａｙ）データを記憶する記憶手段を備え、キーロック中のキーを操作した後、所定の時間内に再度、前記ロック中のキーが操作された際、そのキーロック解除手順をＯＳＤ表示するように構成したことを特徴とする。
【０００８】
請求項１の構成によれば、電子機器に備える操作部やリモコンなどの入力手段が備える複数のキーの内、事前にロックをされているキーを押した際に、ユーザがロックを解除して当該キーの操作を所望する場合、所定の時間内に続けて当該キーを押すことにより、記憶手段から当該キーのロック解除手順を示すＯＳＤデータを呼び出し、そのロック解除手順を表示装置に表示することができる。
【０００９】
請求項２に係るキーロック解除機能を備えた電子機器は、請求項１に記載のキーロック解除機能を備えた電子機器において、前記記憶手段は、前記キーロック作動時のキーロック表示を行うＯＳＤデータを記憶し、前記電子機器を、キーロック中のキーを操作した際に、当該キーがロック中であることを示すＯＳＤ表示するように構成したことを特徴とするキーロック解除機能を備えた電子機器。
【００１０】
請求項２の構成によれば、ロック中であるキーを押した際に、当該キーがロック中であることを示すメッセージや図形であるＯＳＤデータを不揮発性メモリなどの記憶手段から呼び出し、映像／音声信号に重畳させ、表示装置に表示若しくは外部表示装置に出力することにより、ユーザにその旨を通知することができる。
【００１１】
請求項３に係るキーロック解除機能を備えた電子機器は、請求項１又は２に記載のキーロック解除機能を備えた電子機器において、ロック中のキーを操作した際に、５秒以内に再度、前記ロック中のキーが操作された際、そのキーロック解除手順をＯＳＤ表示するように構成したことを特徴とする。
【００１２】
請求項３の構成によれば、ロックされているキーを操作し、ロック中であることを示すＯＳＤ表示が表示装置に表示された後、５秒以内に当該キーを押すことにより、キーロック解除手順を示すＯＳＤ表示を表示装置に表示することができる。
【００１３】
請求項４に係るキーロック解除機能を備えた電子機器は、請求項１から３の何れか１項に記載のキーロック解除機能を備えた電子機器において、前記制御手段は、前記キーロック解除手順をＯＳＤ表示した際、所定の時間内にキーロック解除を実行することでキーロックの解除と共にキーロック解除手順のＯＳＤ表示を停止するように制御する一方、所定の時間内にキーロック解除を実行しない場合、キーロック解除手順のＯＳＤ表示を停止するように制御することを特徴とする。
【００１４】
請求項４の構成によれば、キーロック解除手順がＯＳＤ表示された後、所定の時間内にキーロック解除操作が行われた場合は、該当するキーのロックを解除し、キーロック解除手順のＯＳＤ表示を停止し、電子機器を通常の利用状態へ戻す。また、所定の時間経過までに入力手段によるキーロック解除操作が行われない場合は、キーロック解除を行わずに、キーロック解除手順のＯＳＤ表示を停止する。
【発明の効果】
【００１５】
請求項１に係るキーロック解除機能を備えた電子機器は、複数の操作用キーを備えた入力手段と、この入力手段からのキー入力の指示を受けて映像／音声信号を再生するための動作を制御する制御手段と、前記映像／音声信号による映像を表示する表示装置若しくは外部の表示装置に前記映像／音声信号を出力する出力装置とを備えた電子機器において、前記制御手段は、任意のキー操作をロックするキーロック機能を有し、キーロック解除手順を示すキーロック解除表示を行うＯＳＤデータを記憶する記憶手段を備え、キーロック中のキーを操作した後、所定の時間内に再度、前記ロック中のキーが操作された際、そのキーロック解除手順をＯＳＤ表示するように構成したので、ユーザがロックされたキーを押し、当該キー操作を続行したいと所望する場合、続けて同じキーを押すことによりキーロック解除手順をＯＳＤ表示するので、電子機器の操作を直感的に行うことができ、キーロック解除手順をＯＳＤ表示するための専用キーを新たに設ける必要も無いため、製造コストも抑えることができるとともに、専用キーの取付けスペースも不要であるから、コンパクト化も可能である。
【００１６】
請求項２に係るキーロック解除機能を備える電子機器は、請求項１に記載のキーロック解除機能において、記記憶手段は、前記キーロック作動時のキーロック表示を行うＯＳＤデータを記憶し、前記電子機器を、キーロック中のキーを操作した際に、当該キーがロック中であることを示すＯＳＤ表示するように構成したので、ユーザがロック中のキーを操作した際に、電子機器が備える表示装置若しくは外部の表示装置に、ロック中である旨を示すＯＳＤ表示を行うことができる。すなわち、ユーザが使用を所望する操作キーがロックされていることを容易に認識することができる。
【００１７】
請求項３に係るキーロック解除機能を備える電子機器は、請求項１又は２に記載のキーロック解除機能において、ロック中のキーを操作した際に、５秒以内に再度、前記ロック中のキーが操作された際、そのキーロック解除手順をＯＳＤ表示するように構成したので、ユーザがロック中のキーの操作を行った場合、ユーザが所望する操作が実行されず、直感的に再度、そのキー操作を繰り返すため、同じキーを操作する。このような再入力のために最初のキー操作から、再度、そのキー操作を行うまでの時間は、通常、５秒以内に行われることが多く、キーロック解除手順をＯＳＤ表示するタイミングをロック中のキーを操作した際に、５秒以内とすることで合理的なタイミングでロック中のキーを解除するためのキーロック解除手順をＯＳＤ表示することができる。
【００１８】
請求項４に係るキーロック解除機能を備える電子機器は、請求項１から３の何れか１項に記載のキーロック解除機能において、前記制御手段は、前記キーロック解除手順をＯＳＤ表示した際、所定の時間内にキーロック解除を実行することでキーロックの解除と共にキーロック解除手順のＯＳＤ表示を停止するように制御する一方、所定の時間内にキーロック解除を実行しない場合、キーロック解除手順のＯＳＤ表示を停止するように制御するので、ユーザは直感的な操作によりキーロックの解除を行えると共に、キーロック解除を所望しない場合は、ユーザの手を煩わせることなくＯＳＤ表示を停止することができる。
【発明を実施するための最良の形態】
【００１９】
以下、本発明を実施するための最良の形態としての実施例を図１及び２を参照して説明する。もちろん、本発明は、その発明の趣旨に反さない範囲で、実施例において説明した以外のものに対しても容易に適用可能なことは説明を要するまでもない。
【実施例】
【００２０】
図１及び２は、本発明の一実施例を示し、図１は本実施例における電子機器を示すブロック図であり、図２は、本実施例におけるキーロック解除を行う際の電子機器の動作を示すフローチャート図である。
【００２１】
図１に基づいて、本実施例における電子機器の構成について説明する。１は本実施例における電子機器である任意の操作キーをロックすることができるキーロック機能を有するテレビジョン受像機を示している。２は、放送電波を受信するためのチューナであり、３はチューナ２により受信した放送電波の増幅を行うＩＦ回路である。４はテレビジョン受像機１の動作を制御する制御部であり、制御部４はＯＳＤ作成部４ａとキーロック制御部４ｂを有する。５はテレビジョン受像機１に対する操作信号を受信するための受光部であり、６はユーザによるキー操作を、操作信号としてテレビジョン受像機１に送信する入力手段であるリモコンである。７は、テレビジョン受像機１の初期設定値や、動作設定、キーロック中である旨を通知するためのメッセージや図形（以下、ロック通知ＯＳＤと呼ぶ）、キーロック解除手順のＯＳＤ（以下、ロック解除手順ＯＳＤと呼ぶ）データを記憶する記憶手段である不揮発性メモリである。８はＩＦ回路３から送られる放送電波を映像化すると共に、制御部から送られるＯＳＤデータを映像に重畳させる映像音声処理部であり、９は映像音声処理部により送られる映像データを表示する表示部である。
【００２２】
次に、図２に基づいて、テレビジョン受像機１のキーロック解除の際の動作を説明する。まず、ユーザにより、リモコンに備えるキーが押される（Ｓ１）。押されたキーを制御部４により、ロックされたキーかを判別する（Ｓ２）。ロックされていないキーであれば、当該キーに設定されたテレビジョン受像機１の動作を行う（Ｓ３）。ロックされたキーであれば、不揮発性メモリ７から当該キーのロック通知ＯＳＤデータを呼び出し、表示部にＯＳＤ表示をする（Ｓ４）。ロック通知ＯＳＤが表示されてから、５秒以内に当該キーが押されるかを判別し、押されない場合は５秒経過後にロック通知ＯＳＤを消去する（Ｓ６）。押された場合は、ロック通知ＯＳＤを消去し、当該キーのロック解除手順ＯＳＤデータを不揮発性メモリ７から呼び出し、表示部に表示する（Ｓ７）。このロック解除手順ＯＳＤが表示されてから、一定時間内にロック解除操作が行われたかを判別し、行われた場合は、キーロックを解除し、ロック解除手順ＯＳＤを停止する（Ｓ９）。ロック解除操作が行われない場合、若しくは正しく解除操作が行われないは、一定時間経過後にロック解除手順ＯＳＤを停止する。
【００２３】
以上のように、本実施例の構成によれば、テレビジョン受像機１を操作するためのキーを備えるリモコン６は、特定のキーに任意にキーロックを施すことができるロック機能を有しており、ユーザが認識せずに、ロックされているキーを押した場合、テレビジョン受像機１の内部に備える不揮発性メモリ７から、ロック通知ＯＳＤデータを呼び出し、ロックされていることを通知するために表示部９にロック通知ＯＳＤを表示する。このとき、ロック通知ＯＳＤが表示されて５秒が経過すると、このロック通知ＯＳＤは自動的に消去される。ユーザが、所望の操作を行うために使用するキーがロックされていることを認識し、それでも操作を続行した場合、ロック通知ＯＳＤが表示されている間に、当該キーを更に押すことにより、不揮発性メモリ７からロック解除手順ＯＳＤデータを呼び出し、ロック解除手順ＯＳＤの表示を行うことができる。また、このロック解除手順ＯＳＤは、一定時間、例えば５秒、経過後に停止され、そのロック解除手順ＯＳＤが表示されている間に、表示された手順でリモコン６の操作を行うことにより、所望のキーの解除を行うことができ、当該キーによりテレビジョン受像機１の操作を行うことができるようになる。すなわち、ユーザがロック中のキーの操作を行った場合、必然的にその操作が実行されず、ユーザがそのキーの操作を続行したいのであれば、直感的に再度、同じキーを操作する。このような再入力のために最初のキー操作から、再度、そのキー操作を行うまでの時間は、通常、５秒以内に行われる場合が多い。したがって、キーロック解除手順をＯＳＤ表示するタイミングをロック中のキーを最初に操作してから再度、そのキー操作を行うまでの５秒以内とすることで、合理的なタイミングでロック中のキーを解除するためのキーロック解除手順を表示させることが可能となる。
【００２４】
また、本実施例の構成によれば、キーロックの解除をロック中のキーを再度押すことにより行うことで、キーロック解除の役割を担う専用のキーを必要とせず、部品数を抑えることができるので、リモコン６の製造を低コストで行うことができるとともに、リモコン６にその専用キーを取付けるためのスペースも不要であるから、リモコン６のコンパクト化も可能である。
【００２５】
以上、本発明の実施例を詳述したが、本発明は前記実施例に限定されるものではなく、本発明の要旨の範囲内で種々の変形実施が可能である。例えば、電子機器をテレビジョン受像機としたが、これに特に限定せずに、ＤＶＤ（Ｄｉｇｉｔａｌ  Ｖｅｒｓａｔｉｌｅ  Ｄｉｓｋ）プレイヤーや、ビデオテープレコーダなどの録画再生装置といった映像信号を外部の表示装置であるモニタなどに出力できるような電子機器としても、何ら問題はない。また、入力手段をリモコンとしたが、電子機器本体に備える操作キーとしてもよい。
【図面の簡単な説明】
【００２６】
【図１】本発明の実施例を示すブロック図である。
【図２】同上、キーロック解除の動作を示すフローチャート図である。
【符号の説明】
【００２７】
１    テレビジョン受像機（電子機器）
４    制御部（制御手段）
４ｂ  キーロック制御部（キーロック制御手段）
６    リモコン（入力手段）
７    不揮発性メモリ（記憶手段）
９    表示部（表示装置）
【図１】
2007013530.tif 000003
【図２】
2007013530.tif 000004